(57)【要約】【課題】現場での加工調整をなくして施工を容易にしながらも、見栄えを良好にすることができる階段幅木を提供する。【解決手段】この階段幅木１０は、段板用の横幅木部材２０・・と蹴込板用の縦幅木部材４０・・の２部材から構成されている。横幅木部材２０は、段板２の側端部上面に沿って配設される本体部２１と、段板２における蹴込板３の前面よりも前方へ突出した段鼻４の側端部を囲むようにして配設される先端部２２とを一体に備えている。縦幅木部材４０は、上側の横幅木部材２０の先端部２２における段鼻４の下側に位置する下片２５と下側の横幅木部材２０の本体部２１における後端部分との間に跨るようにして、蹴込板３の側端部前面に沿って配設される。【選択図】図１
2011231484.tif 000002
【特許請求の範囲】
【請求項１】
段板（２）・・及び蹴込板（３）・・を備えた階段（１）の壁際に設けられる階段幅木（１０）であって、段板用の横幅木部材（２０）・・と蹴込板用の縦幅木部材（４０）・・の２部材から構成され、前記横幅木部材（２０）は、前記段板（２）の側端部上面に沿って配設される本体部（２１）と、前記段板（２）における前記蹴込板（３）の前面よりも前方へ突出した段鼻（４）の側端部を囲むようにして配設される先端部（２２）とを一体に備え、前記縦幅木部材（４０）は、上側の横幅木部材（２０）の先端部（２２）における前記段鼻（４）の下側に位置する下片（２５）と下側の横幅木部材（２０）の本体部（２１）における後端部分との間に跨るようにして、前記蹴込板（３）の側端部前面に沿って配設されることを特徴とする階段幅木。
【請求項２】
前記横幅木部材（２０）における段板対向面（２６）に、前記段板（２）に当接してその段板（２）との間に生じる隙間を閉塞する弾性変形可能な隙間閉塞部材（３０）が設けられている請求項１記載の階段幅木。
【請求項３】
前記隙間閉塞部材（３０）は、ヒレ状の外側弾性片（３１）と、この外側弾性片（３１）を壁側とは反対側から覆い隠すためのヒレ状の内側弾性片（３２）とを備え、前記内側弾性片（３２）の張出量が前記外側弾性片（３１）の張出量よりも小とされている請求項２記載の階段幅木。
【請求項４】
前記縦幅木部材（４０）は、前記段鼻（４）の下方において、その段鼻（４）の前端面よりも後方に位置するように、前後方向の幅寸法（Ｌ１）が前記段鼻（４）の突出量（Ｌ２）よりも小とされている請求項１乃至３のいずれかに記載の階段幅木。
【請求項５】
前記縦幅木部材（４０）は、任意の高さ位置で切断可能な角棒状に形成されている請求項４記載の階段幅木。
【請求項６】
請求項１乃至５のいずれかに記載の階段幅木（１０）を、段板（２）・・及び蹴込板（３）・・を備えた階段（１）の壁際に沿って設けるようにしたことを特徴とする階段構造。
【発明の詳細な説明】
【技術分野】
【０００１】
この発明は、段板及び蹴込板を備えた階段の壁際に設けられて、階段と側壁との間の入隅部分を覆い隠す階段幅木及びこれを用いた階段構造に関する。
【背景技術】
【０００２】
従来の階段幅木として、図５及び図６に示すように、略Ｌ字状の幅木部材６０・・を階段１の壁際に沿って連続させるようにした構造のものが知られている。幅木部材６０は、階段１の段板２の側端部上面に沿って配設される横片部６１と、蹴込板３の側端部前面に沿って配設される縦片部６２とを一体に備えている。横片部６１の後端部分及び縦片部６２の下端部分は、斜めにカットされていて、横片部６１と縦片部６２との連結部分には、段板２の段鼻４を嵌め込むための切欠溝６３が形成されている。そして、階段幅木は、上側の幅木部材６０における縦片部６２の下端部分と下側の幅木部材６０における横片部６１の後端部分とが留め継ぎ接合された状態で、階段１と側壁５との間の入隅部分を覆い隠すように施工されている。
【０００３】
階段１は、段板２や蹴込板３の寸法誤差、組立誤差等によって、施工精度にバラツキが生じていることが多い。そのため、階段幅木の現場施工にあたっては、階段１の施工状態に応じて、各幅木部材６０における横片部６１や縦片部６２の階段当接面（図５の点線で示す部分）を削り調整したり、斜めにカットされた接合面（図５の一点鎖線で示す部分）をカット調整して、各幅木部材６０を階段１にそれぞれ隙間無く当接させるとともに、幅木部材６０、６０同士の接合部分６４においても隙間が生じないようにして見栄えを良好にしている。ところが、このような各幅木部材６０の削り調整やカット調整等の現場での加工調整は、非常に煩雑で手間がかかるとともに、熟練を要するといった不具合があった。
【０００４】
そこで、近年においては、図７に示すように、段板用の横幅木部材７１・・と蹴込板用の縦幅木部材７２・・の２部材を使用して、これら横幅木部材７１・・及び縦幅木部材７２・・を階段１の壁際に沿って交互に連続させるようにした階段幅木が提案されている（例えば特許文献１参照）。横幅木部材７１は、段板２の側端部上面に沿って配設され、縦幅木部材７２は、上側の横幅木部材７１における前端部下面と下側の横幅木部材７１における後端部上面との間に跨るようにして、蹴込板３の側端部前面に沿って配設されるようになっている。また、縦幅木部材７２の上端部には、段板２の段鼻４を嵌め込むための切欠段部７３が形成されている。
【０００５】
このように階段幅木を２部材構成とすることで、横幅木部材７１を段板２に対して、縦幅木部材７２を蹴込板３に対してそれぞれ別々に配設することができ、階段１の施工精度が悪くなっていても（例えば、段板２と蹴込板３とがきっちりと直交していなくても）、横幅木部材７１と段板２との間、縦幅木部材７２と蹴込板３との間において隙間を生じ難くすることができる。また、階段１の施工精度が悪くなっていると、横幅木部材７１と縦幅木部材７２との接合部分７４、７５には、隙間が生じることになるが、２部材構成とすることで、特許文献１にも開示されているように、例えば横幅木部材７１の厚みを縦幅木部材７２よりも厚くしたり、横幅木部材７１の前端部を縦幅木部材７２よりも前方に突出させるといった隙間を目立たなくするための対策を講じることができる。これにより、煩雑で熟練を要する現場での加工調整を省きながらも、見栄えをある程度良好に維持することができる。
【先行技術文献】
【特許文献】
【０００６】
【特許文献１】特開２００４−３６１６８号公報
【発明の概要】
【発明が解決しようとする課題】
【０００７】
しかしながら、図７に示すような構造の階段幅木においては、横幅木部材７１の前端部下面と縦幅木部材７２の上端面との接合部分７４が、段板２の段鼻４から前方に張り出すように位置しており、また、横幅木部材７１の後端部上面と縦幅木部材７２の下端面との接合部分７５が、段板２の段鼻４よりも前方に張り出すように位置している。すなわち、これら接合部分７４、７５が、階段１を上り下りする使用者から見え易い位置に配されている。このため、上記のような対策を講じるようにしても、接合部分７４、７５に生じた隙間を目立たなくするには限界があり、見栄えを良好にする上で更なる改良の余地があった。
【０００８】
また、階段１の上り下りに際して、段板２や蹴込板３が振動すると、これら段板２や蹴込板３と階段幅木とが擦れ合って音鳴りが発生することがあるが、このような音鳴りを防止するための対策については、何ら考慮されていなかった。
【０００９】
そこで、本発明は、上記の不具合を解消して、現場での加工調整をなくして施工を容易にしながらも、見栄えを良好にすることができ、また階段の上り下りに際しての音鳴りを防止することができる階段幅木及びこれを用いた階段構造の提供を目的とする。
【課題を解決するための手段】
【００１０】
本発明の階段幅木１０は、段板２・・及び蹴込板３・・を備えた階段１の壁際に設けられるものであって、段板用の横幅木部材２０・・と蹴込板用の縦幅木部材４０・・の２部材から構成され、前記横幅木部材２０は、前記段板２の側端部上面に沿って配設される本体部２１と、前記段板２における前記蹴込板３の前面よりも前方へ突出した段鼻４の側端部を囲むようにして配設される先端部２２とを一体に備え、前記縦幅木部材４０は、上側の横幅木部材２０の先端部２２における前記段鼻４の下側に位置する下片２５と下側の横幅木部材２０の本体部２１における後端部分との間に跨るようにして、前記蹴込板３の側端部前面に沿って配設されることを特徴としている。
【００１１】
また、前記横幅木部材２０における段板対向面２６に、前記段板２に当接してその段板２との間に生じる隙間を閉塞する弾性変形可能な隙間閉塞部材３０が設けられている。
【００１２】
さらに、前記隙間閉塞部材３０は、ヒレ状の外側弾性片３１と、この外側弾性片３１を壁側とは反対側から覆い隠すためのヒレ状の内側弾性片３２とを備え、前記内側弾性片３２の張出量が前記外側弾性片３１の張出量よりも小とされている。
【００１３】
さらにまた、前記縦幅木部材４０は、前記段鼻４の下方において、その段鼻４の前端面よりも後方に位置するように、前後方向の幅寸法Ｌ１が前記段鼻４の突出量Ｌ２よりも小とされている。具体的には、前記縦幅木部材４０は、任意の高さ位置で切断可能な角棒状に形成されている。
【００１４】
また、本発明の階段構造は、上記の階段幅木１０を、段板２・・及び蹴込板３・・を備えた階段１の壁際に沿って設けるようにしたことを特徴としている。
【発明の効果】
【００１５】
この発明の階段幅木においては、段板用の横幅木部材と蹴込板用の縦幅木部材の２部材から構成されているので、横幅木部材を段板に対して、縦幅木部材を蹴込板に対してそれぞれ別々に配設することができ、階段の施工精度が悪くなっていても、横幅木部材と段板との間、縦幅木部材と蹴込板との間において隙間を生じ難くすることができる。しかも、縦幅木部材は、上側の横幅木部材の先端部における段鼻の下側に位置する下片と下側の横幅木部材の本体部における後端部分との間に跨るようにして配設されているため、横幅木部材と縦幅木部材との接合部分が、段板の段鼻に対して前方に張り出すことなく、階段を上り下りする使用者からは見え難い段鼻の下方に位置することとなり、接合部分に生じている隙間を極力目立たなくすることができる。これにより、削り調整やカット調整といった煩雑で熟練を要する現場での加工調整をなくして施工を容易にしながらも、見栄えを良好に保つことができる。
【００１６】
また、横幅木部材に設けた弾性変形可能な隙間閉塞部材を段板に当接させるようにして、横幅木部材を配設することで、階段を上り下りする使用者から見え易い段板と横幅木部材との間の隙間を確実に生じさせないようにして、見栄えをより一層良好にすることができる。しかも、隙間閉塞部材がクッションとして介在するため、段板と横幅木部材の擦れ合いによる音鳴りを防止することができる。
【００１７】
さらに、張出量の異なる外側及び内側弾性片を備えた隙間閉塞部材を段板に当接させることで、段板にしっかりと密着して大きく変形した外側弾性片を、段板に軽く接触してほとんど変形していない内側弾性片によって覆い隠すことができる。これにより、弾性変形可能な隙間閉塞部材によって段板と横幅木部材との間の隙間を塞いでいるにもかかわらず、隙間閉塞部材の露出部分の形状を良好に維持して、見栄えをより一層良好にすることができる。
【００１８】
また、縦幅木部材を、例えば角棒状に形成して、段板の段鼻前端面よりも後方に位置させることで、横幅木部材と縦幅木部材との接合部分すなわち隙間発生部分が大幅に削減され、接合部分に生じる隙間をより一層目立たなくすることができ、しかも接合部分の留め継ぎ加工も不要とすることができる。さらに、角棒状の縦幅木部材を上下の横幅木部材の間隔に合わせて現場で切断するだけの簡単な加工調整を行うことで、接合部分の隙間を無くすこともできる。
【００１９】
この発明の階段構造においては、上記の階段幅木を用いることで、幅木部分を見栄え良く簡単に施工することができ、また階段部分と幅木部分との擦れ合いによる音鳴りを防止することができる。
【図面の簡単な説明】
【００２０】
【図１】この発明の実施形態に係る階段幅木を用いた階段構造を示す斜視図である。
【図２】同じくその縦断面図である。
【図３】階段幅木を分解した状態を示す縦断面図である。
【図４】段板への隙間閉塞部材の当接状態を示す縦断面図である。
【図５】従来の階段幅木を用いた階段構造を示す分解斜視図である。
【図６】同じくその縦断面図である。
【図７】２部材構成の階段幅木を用いた階段構造を示す縦断面図である。
【発明を実施するための形態】
【００２１】
以下、この発明の実施形態を図面に基づいて詳細に説明する。図１乃至図３は、この発明の階段幅木１０を用いた階段構造を示している。階段１は、複数の段板２・・及び蹴込板３・・を組み付けてなり、段板２・・が、上下方向及び水平方向にそれぞれ所定間隔をあけて水平に配設されていて、蹴込板３・・が、上側の段板２の前端部と下側の段板２の後端部とに跨って垂直に配設されている。また、段板２・・の前端部が、その下側に位置する蹴込板３・・の前面よりも前方に突出して、この突出部分が段鼻４・・とされている。
【００２２】
階段幅木１０は、段板用の横幅木部材２０・・と蹴込板用の縦幅木部材４０・・の２部材から構成されていて、階段１の壁際に設けられて、階段１と側壁５との間の入隅部分を覆い隠している。
【００２３】
横幅木部材２０は、段板２の側端部上面に沿って配設される本体部２１と、段板２の段鼻４の側端部を囲むようにして配設される先端部２２とを一体に備えている。本体部２１は、帯板状に形成され、その後端面が垂直面とされている。先端部２２は、略コ字形に折曲された帯板状に形成され、本体部２１の前端部分から前方へ延出して段鼻４の上側に位置する上片２３と、この上片２３の前端部分から下方へ延出して段鼻４の前側に位置する前端片２４と、この前端片２４の下端部分から後方へ延出して段鼻４の下側に位置する下片２５とを有しており、下片２５の後端面が垂直面とされている。
【００２４】
また、横幅木部材２０の段板対向面２６には、その全長に亘って弾性変形可能な隙間閉塞部材３０が設けられている。なお、段板対向面２６は、本体部２１の下面、先端部２２の上片２３の下面、前端片２４の後端面、下片２５の上面により構成されていて、隙間閉塞部材３０を装着するための装着溝２７が全長に亘って形成されている。
【００２５】
隙間閉塞部材３０は、図４に示すように、ヒレ状の外側弾性片３１と、ヒレ状の内側弾性片３２と、これら外側弾性片３１と内側弾性片３２の上端部同士を連結する連結片３３と、この連結片３３の上面略中央から上方へ突出した装着片３４とを一体に備えている。外側弾性片３１は、その先端に向かうにつれて内側弾性片３２に近づくように湾曲しながら張り出していて、側壁５側に位置するように配されている。内側弾性片３２は、垂直方向に沿って張り出していて、外側弾性片３１を挟んで側壁５とは反対側に位置するように配されている。そして、内側弾性片３２の張出量が、外側弾性片３１の張出量よりも小とされている。この隙間閉塞部材３０は、装着片３４を横幅木部材２０の装着溝２７に圧入させながら、連結片３３を横幅木部材２０の段板対向面２６に当接させることで、横幅木部材２０に取り付けられている。
【００２６】
縦幅木部材４０は、上側の横幅木部材２０の先端部２２における下片２５と下側の横幅木部材２０の本体部２１における後端部分との間に跨るようにして、蹴込板３の側端部前面に沿って配設されるもので、任意の高さ位置で切断可能な角棒状に形成されている。この縦幅木部材４０は、段板２の段鼻４の下方において、その段鼻４の前端面よりも後方に位置するように、前後方向の幅寸法Ｌ１が段鼻４の突出量Ｌ２よりも小とされている。また、縦幅木部材４０の側壁５に対向する外側面には、例えば接着剤を充填するための凹溝４１が材軸方向に連続して形成されており、また外側面と相対する内側面には、例えば釘等を打ち込むためのＶ字溝４２が材軸方向に連続して形成されている。
【００２７】
なお、各幅木部材２０、４０は、例えば木製又は合成樹脂製とされていて、その表面を塗装したり、表面に化粧シートを貼り付けることで、露出部分が化粧処理されている。
【００２８】
上記の２部材構成の階段幅木１０の施工に際しては、横幅木部材２０を段板２に対して、縦幅木部材４０を蹴込板３に対してそれぞれ別々に配設する。すなわち、横幅木部材２０については、先端部２２によって段板２の段鼻４の側端部を囲みながら、本体部２１を段板２の側端部上面に沿うように配設した状態で、側壁５に接着剤等によって固定している。このとき、本体部２１の後端面が上側の蹴込板３の前面に当接し、先端部２２の下片２５の後端面が下側の蹴込板３の前面に当接するとともに、隙間閉塞部材３０が段板２に当接して段板２との間に生じる隙間を閉塞した状態となっている。この隙間閉塞部材３０が段板２に当接した状態において、図４（ｂ）に示すように、張出量の大きな外側弾性片３１は、段板２にしっかりと密着して大きく変形するが、張出量の小さな内側弾性片３２は、段板２に軽く接触する程度でほとんど変形しておらず、この変形せずに形状が維持された内側弾性片３２によって外側弾性片３１が覆い隠されている。
【００２９】
また、縦幅木部材４０については、上側の横幅木部材２０における下片２５の後端部下面と下側の横幅木部材２０における本体部２１の後端部上面との間に跨るようにして、蹴込板３の側端部前面に沿うように配設した状態で、凹溝４１に充填した接着剤等によって側壁５に固定している。このとき、縦幅木部材４０の上端面と上側の横幅木部材２０における下片２５の後端部下面との接合部分５０、及び縦幅木部材４０の下端面と下側の横幅木部材２０における本体部２１の後端部上面との接合部分５１は、階段１を上り下りする使用者から見え難い段鼻４の下方に位置した状態となっている。なお、上記の施工に際して、接合部分５０、５１の留め継ぎ加工は、縦幅木部材４０が角棒状で細いことから、不要としている。また、横幅木部材２０や縦幅木部材４０の側壁５への固定に際しては、接着剤の他にも、粘着テープや釘等を使用しても良い。
【００３０】
上記の階段幅木１０の施工状態においては、階段１の施工精度が悪くなっていても、横幅木部材２０と段板２との間、縦幅木部材４０と蹴込板３との間において隙間が生じ難く、特に、階段１を上り下りする使用者から見え易い横幅木部材２０と段板２との間の隙間は、隙間閉塞部材３０によって確実に塞がれている。しかも、横幅木部材２０と縦幅木部材４０との接合部分５０、５１が、階段を上り下りする使用者からは見え難い段鼻４の下方に位置しているので、階段１の施工精度が悪くなっていて、接合部分５０、５１に隙間が生じていても、その隙間が目立たないようになっている。
【００３１】
これにより、階段１の施工状態に応じた削り調整やカット調整といった煩雑で熟練を要する現場での加工調整を省略しながらも、見栄えを良好に保つことができる。また、横幅木部材２０と段板２との間に隙間閉塞部材３０がクッション材として介在しているので、段板２と階段幅木１０との擦れ合いによる音鳴りを防止することができる。
【００３２】
以上に、この発明の実施形態について説明したが、この発明は、上記実施形態に限定されるものではなく、この発明の範囲内で種々変更して実施することが可能である。例えば、縦幅木部材４０は、必ずしも角棒状でなくても良く、前後方向の幅寸法Ｌ１を段板２の段鼻４の突出量Ｌ２よりも小としておけば、例えば帯板状であっても良い。また、隙間閉塞部材３０は、必ずしも内外の弾性片３１、３２を備える構造でなくても良く、例えば単一の弾性片を備えた構造のものであっても良い。
【符号の説明】
【００３３】
１・・階段、２・・段板、３・・蹴込板、４・・段鼻、１０・・階段幅木、２０・・横幅木部材、２１・・本体部、２２・・先端部、２５・・下片、３０・・隙間閉塞部材、３１・・外側弾性片、３２・・内側弾性片、４０・・縦幅木部材、Ｌ１・・縦幅木部材の前後方向の幅寸法、Ｌ２・・段鼻の突出量
【図１】
2011231484.tif 000003
【図２】
2011231484.tif 000004
【図３】
2011231484.tif 000005
【図４】
2011231484.tif 000006
【図５】
2011231484.tif 000007
【図６】
2011231484.tif 000008
【図７】
2011231484.tif 000009